(57)【要約】【課題】      中グリの溝加工を不要として加工コストを低減すると共に、摩擦板の交換を容易にした魚釣用スピニングリ−ルを提供することである。【解決手段】  スプ−ル３の開口収容部３ｄにドラグ機構Ａの摩擦板１６と皿状のラチェットリング６とクリック係合子ホルダ−を兼ねた押圧部材７が収容され、スプ−ル３の筒状固定部３ｆの内側の開口凹部３ｅに糸絡み防止部８のリング部８ａが嵌合されて接着剤で固定されて出来る凹部αにリングからなる抜け止め部材２１が嵌められると、開口収容部３ｄに収容されたドラグ機構Ａのランニング材である摩擦板１６とスプ−ル軸に回り止めされた摩擦板を兼ねる皿状のラチェットリング６が抜け止めされる。【選択図】        図３
2006025723.tif 000002
【特許請求の範囲】
【請求項１】
リ−ル本体と、リ−ル本体にスプ−ル軸を介して支持され、前側鍔部と後側鍔部との間に釣糸巻回胴部を備えたスプ−ルと、釣糸巻回胴部の径方向内側でかつ竿先側前方に開口したドラグ機構収容部と、前記収容部内でかつスプ−ル軸とスプ−ルとの間に設けられた複数の摩擦板によって、スプ−ル軸に対するスプ−ルの制動回転を許容するべく構成され、制動力を調節可能な調節ツマミを備えたドラグ機構と、前記スプ−ルにおける前側鍔部より竿先側前方かつ前記調節ツマミの径方向外側に設けられ、前記調節ツマミへの糸絡みを防止する糸絡み防止部とを備えた魚釣用スピニングリ−ルにおいて、
前記スプ−ルと別体で形成した糸絡み防止部を前記スプ−ルの収容部の開口端近傍に取り付け固定すると共に、前記固定部における収容部と糸絡み防止部との間に、スプ−ル軸方向に所定の間隔をもって形成された凹部を設け、前記凹部を前記ドラグ機構の摩擦板を抜け止めする抜け止め部材が係合することが可能な係合部としたことを特徴とする魚釣用スピニングリ−ル。
【請求項２】
リ−ル本体と、リ−ル本体にスプ−ル軸を介して支持され、前側鍔部と後側鍔部との間に釣糸巻回胴部を備えたスプ−ルと、釣糸巻回胴部の径方向内側でかつ竿先側前方に開口したドラグ機構収容部と、前記収容部内でかつスプ−ル軸とスプ−ルとの間に設けられた複数の摩擦板によって、スプ−ル軸に対するスプ−ルの制動回転を許容するべく構成され、制動力を調節可能な調節ツマミを備えたドラグ機構とを備えた魚釣用スピニングリ−ルにおいて、
前記収容部の開口端近傍における内周面に、スプ−ルと別体のリング部材を取り付け固定することを許容する、前記収容部より内径の大きな環状段部を形成すると共に、前記環状段部に別体のリング部材を取り付け固定し、前記環状段部における環状縦壁とリング部材との間に、スプ−ル軸方向に所定の間隔をもって形成された凹部を設け、前記凹部を前記ドラグ機構の摩擦板を抜け止めする抜け止め部材が係合することが可能な係合部としたことを特徴とする魚釣用スピニングリ−ル。
【発明の詳細な説明】
【技術分野】
【０００１】
本発明は、ドラグ機構の摩擦板を抜け止めする抜け止め部材の抜け止め構造を改善した魚釣用スピニングリ−ルに関する。
【背景技術】
【０００２】
従来、魚釣用スピニングリ−ルには釣糸を巻回保持するスプ−ルがスプ−ル軸を介して支持されており、このスプ−ルに制動力を付与しながらの釣糸繰り出し方向への回転を許容するべく、前記スプ−ルの収容部内にドラグ機構が設けられている構成は公知である。
前記ドラグ機構は複数の摩擦板で構成され、ドラグ機構に設けられた調節ツマミにて摩擦力を調節可能としたものが一般的である。
前記ドラグ機構における複数の摩擦板は、抜け止めリングによって収容部内に収容状態で保持され、スプ−ル交換時などの際にドラグの調節ツマミを取り外しても、前記の摩擦板が収容部内から脱落することを防ぐ構成である。
前記抜け止めリングは、特許文献１および２の如く、収容部の環状壁部に形成した環状溝、または前鍔を固定するリングから収容部内に延出された部分に形成された環状溝などに係止されているのが一般的である。
【特許文献１】特開昭５９−１７９３１号公報
【特許文献２】特開２０００−２１７４７３号公報
【０００３】
しかし、何れも環状の内周面に係止溝を設けるため、中グリ加工を行う必要があり、加工が面倒な上に加工コストが増加する不具合がある。
また、係止溝を形成する部位には強度と加工代を考慮すると、ある程度の肉厚が必要となるため、軽量化が困難である。
特に係止溝は、スピニングリ−ルの中でも竿先側である前方側に位置するスプ−ルにおける前端部近傍に設けられるため、結果として竿取付脚部より前側の重量を充分に減らすことが出来ず、結果としてリ−ルが竿先側寄りのバランスとなってしまい、竿を握った際のバランスが悪く、改善の余地が残されているのが現状である。
前記不具合を改善するべく本出願人は特許文献３にてスプ−ルと別体で形成した前側鍔部に、ドラグ機構の摩擦板を抜け止めする抜け止め部を形成した構成を提案した。
【特許文献３】特開平９−２９８９９４号公報
【０００４】
前記の構成は、前記特許文献１および２の不具合を解消出来るという、非常に優れた効果を奏するものであったが、ドラグの摩擦板の摩耗やヘタリが発生し、摩擦板の交換を必要とする際に、一旦鍔部をスプ−ルから分離する必要がある。
そのため、釣糸巻回胴部から糸を取り除かないと摩擦板が交換できないので若干手間が掛かる上に、交換時のコストが掛かる不具合が指摘されており、改善が望まれていた。
【発明の開示】
【発明が解決しようとする課題】
【０００５】
解決しようとする問題点は、ドラグ機構の複数の摩擦板を抜け止めする抜け止めリングの保持を、環状の内周面に設けた係止溝で行うと、係止溝を設けるために、中グリ加工を行う必要があり、加工が面倒な上に加工コストが増加する不具合があり、また、係止溝を形成する部位には強度と加工代を考慮すると、ある程度の肉厚が必要となるため、軽量化が困難であることである。
【０００６】
本発明の目的は前記欠点に鑑み、中グリの溝加工を不要として加工コストを低減すると共に、摩擦板の交換を容易にした魚釣用スピニングリ−ルを提供することである。
【課題を解決するための手段】
【０００７】
本発明の請求項１は、リ−ル本体と、リ−ル本体にスプ−ル軸を介して支持され、前側鍔部と後側鍔部との間に釣糸巻回胴部を備えたスプ−ルと、釣糸巻回胴部の径方向内側でかつ竿先側前方に開口したドラグ機構収容部と、前記収容部内でかつスプ−ル軸とスプ−ルとの間に設けられた複数の摩擦板によって、スプ−ル軸に対するスプ−ルの制動回転を許容するべく構成され、制動力を調節可能な調節ツマミを備えたドラグ機構と、スプ−ルにおける前側鍔部より竿先側前方かつ調節ツマミの径方向外側に設けられ、調節ツマミへの糸絡みを防止する糸絡み防止部とを備えた魚釣用スピニングリ−ルにおいて、前記スプ−ルと別体で形成した糸絡み防止部を前記スプ−ルの収容部の開口端近傍に取り付け固定すると共に、前記固定部における収容部と糸絡み防止部との間に、スプ−ル軸方向に所定の間隔をもって形成された凹部を設け、前記凹部を前記ドラグ機構の摩擦板を抜け止めする抜け止め部材が係合することが可能な係合部としたことを要旨とするものである。
【０００８】
本発明の請求項２は、リ−ル本体と、リ−ル本体にスプ−ル軸を介して支持され、前側鍔部と後側鍔部との間に釣糸巻回胴部を備えたスプ−ルと、釣糸巻回胴部の径方向内側でかつ竿先側前方に開口したドラグ機構収容部と、前記収容部内でかつスプ−ル軸とスプ−ルとの間に設けられた複数の摩擦板によって、スプ−ル軸に対するスプ−ルの制動回転を許容するべく構成され、制動力を調節可能な調節ツマミを備えたドラグ機構とを備えた魚釣用スピニングリ−ルにおいて、前記収容部の開口端近傍における内周面に、スプ−ルと別体のリング部材を取り付け固定することを許容する、前記収容部より内径の大きな環状段部を形成すると共に、前記環状段部に別体のリング部材を取り付け固定し、前記環状段部における環状縦壁とリング部材との間に、スプ−ル軸方向に所定の間隔をもって形成された凹部を設け、前記凹部を前記ドラグ機構の摩擦板を抜け止めする抜け止め部材が係合することが可能な係合部としたことを要旨とするものである。
【発明の効果】
【０００９】
本発明の請求項１によれば、ドラグ機構の摩擦板と皿状のラチェットリングが抜け止めされる抜け止め部材が係合される凹部が、開口凹部にスプ−ルと別体で形成された糸絡み防止部の内、径方向内側に位置する環状延出部であるリング部が、開口凹部とスプ−ル軸方向に所定の間隔を持って嵌合固定されることで構成されるので、スプ−ル又は別体の糸絡み防止部に中グリの溝加工が不要となる上に、スプ−ルの前側鍔部を外すことが不要となるので、加工コストの低減と、ドラグ機構の摩擦板の交換の際の煩わしさや摩擦板の交換の際のコスト低減を同時に図ることが可能となる。
また、別体の糸絡み防止部はスプ−ルの筒状固定部の外側に肉抜き用凹部を設けた際に蓋部材を兼ねることになり、スプ−ルにおける竿先側前方の軽量化を図ることが出来る。
更にスプ−ルや別体の糸絡み防止部に中グリの溝加工が不要となるので、加工代を取るために肉厚にする必要がなくなり、軽量化が図れる。
本発明の請求項２によれば、開口端部近傍の内周面に別体のリング部材を開口凹部とスプ−ル軸方向に所定の間隔を持って嵌合固定することで構成されるので、前側鍔部及び糸絡み防止部がスプ−ルと一体の為、構造が簡素化され、部品点数が少なくなり、部品コストと組立コストが低減でき、スプ−ルや別体のリング部材に中グリの溝加工が不要となる上に、スプ−ルの前側鍔部を外すことが不要となるので、加工コストの低減と、ドラグ機構の摩擦板の交換の際の煩わしさや摩擦板の交換の際のコスト低減を同時に図る事が可能となる。
更にスプ−ルや別体のリング部材に中グリの溝加工が不要となるので、加工代を取るために肉厚にする必要がなくなり、軽量化が図れる。
【発明を実施するための最良の形態】
【００１０】
魚釣用スピニングリ−ルは、リ−ル本体１に対して軸方向に移動可能かつ回動不能に支持され、リ−ル本体の前方側へ向けて突出したスプ−ル軸２の先端にスプ−ル３が取り付けられ、スプ−ル３の竿先側前方にスプ−ルと別体の糸絡み防止部８が取り付けられている。
スプ−ル３は、釣糸が巻回される外周の釣糸巻回胴部３ｂの内側に、凹部からなるドラグ機構Ａの開口収容部３ｄと、開口収容部３ｄより前側に形成された筒状固定部３ｆの内周面に、前記収容部３ｄよりも内径が大きな開口凹部３ｅが形成され、更に前側の鍔部３ｈと、後側の大径の筒部３ｉと、筒部３ｉの内側の凹部３ｊ等で形成されている。
開口収容部３ｄと開口凹部３ｅの間には段部である環状縦壁３ｋが形成されている。
凹部からなるドラグ機構Ａの開口収容部３ｄには、ドラグ機構Ａのランニング材である摩擦板１６とスプ−ル軸に回り止めされた摩擦板を兼ねる皿状のラチェットリング６とクリック係合子ホルダ−を兼ねた押圧部材７が収容されている。
スプ−ル３の筒状固定部３ｆの内側の開口凹部３ｅには、スプ−ルと別体に形成された糸絡み防止部８の径方向内側からスプ−ル軸の伸長する方向でかつ竿尻側後方へ向けて延出された環状部であるリング部８ａが嵌合されて接着剤で固定され、リング部後端面８ｆと、環状縦壁３ｋとの間に所定の間隔Ｓをもって形成される凹部αに、リングからなる抜け止め部材２１が嵌められる。
凹部αにリングからなる抜け止め部材２１が嵌められると、凹部からなるドラグ機構Ａの開口収容部３ｄに収容されたドラグ機構Ａの摩擦板１６と皿状のラチェットリング６が抜け止めされる。
【実施例１】
【００１１】
以下、図示の実施例によって本発明を説明すると、図１から図３は第１実施例で図１は魚釣用スピニングリ−ルの要部断面側面図、図２はスプ−ルの分解断面側面図、図３はスプ−ルの要部拡大断面側面図である。
【００１２】
魚釣用スピニングリ−ルは、リ−ル本体１に軸方向に移動可能かつ回動不能に支持されて前側に突出されたスプ−ル軸２の先端にスプ−ル３が取り付けられている。
スプ−ル軸２は太径部２ａの先端にネジ部２ｂが形成されている。
太径部２ａには軸方向と直交する透孔２ｃが穿設されている。
太径部２ａの先端側外周には断面凸字状のスプ−ル支持部４が嵌合されている。
断面凸字状のスプ−ル支持部４は筒部４ａの後端に２段の鍔部４ｂ、４ｃが形成され、鍔部４ｃの前側に軸方向と直交する透孔４ｄが穿設され、その前側に周溝４ｅが、先端内側に逃げ凹部４ｆが形成されている。
透孔４ｄと透孔２ｃには係合ピン１０が挿脱自在に挿入される。
鍔部４ｂの前側の鍔部４ｃ外周にカップ１１と摩擦板１２が嵌合されている。
鍔部４ｃの前側の筒部４ａ外周に透孔４ｄと係合ピン１０を覆うように軸受１３が嵌合されて周溝４ｅに嵌合されたリング１４で抜け止めされている。
リング１４より前側の筒部４ａ外周に軸受１５が嵌合されている。
軸受１３と軸受１５の外周にスプ−ル３の内側軸筒部３ａが嵌合されて内側軸筒部３ａの後端は摩擦板１２とカップ１１を挾んで鍔部４ｂに当接されている。
【００１３】
スプ−ル３は、内側軸筒部３ａと、釣糸が巻回される外周の釣糸巻回胴部３ｂの内側に、凹部からなるドラグ機構Ａの開口収容部３ｄと、釣糸巻回胴部３ｂの内側に位置する凹部３ｃと、開口収容部３ｄより前側に形成された筒状固定部３ｆの内周面に、前記収容部３ｄよりも内径が大きな開口凹部３ｅが形成され、更に筒状固定部３ｆの外側の凹部３ｇと、前側の鍔部３ｈと、後側の大径の筒部３ｉと、筒部３ｉの内側の凹部３ｊとで形成されている。
開口収容部３ｄと開口凹部３ｅの間に段部で環状縦壁３ｋが形成されている。
凹部からなるドラグ機構Ａの開口収容部３ｄにはドラグ機構Ａのランニング材である摩擦板１６とスプ−ル軸に回り止めされた摩擦板を兼ねる皿状のラチェットリング６とクリック係合子ホルダ−を兼ねた押圧部材７が収容されている。
【００１４】
皿状のラチェットリング６の中心透孔６ａは筒部４ａ外周に回り止め嵌合されている。
皿状のラチェットリング６は底面中心に中心透孔６ａが、外周壁６ｂの内周にクリック凹凸歯６ｃが形成されている。
皿状のクリック係合子ホルダ−を兼ねた押圧部材７は、内側の底面７ａと、底面７ａの外側の押圧面７ｂと、底面７ａの中心透孔７ｃと、外周壁７ｄと、外周壁７ｄに穿設された透孔７ｅ、７ｆと図示しない回り止め用切欠きとで形成されている。
クリック係合子ホルダ−を兼ねた押圧部材７の中にはクリック係合子１７が取り付けられている。
クリック係合子ホルダ−を兼ねた押圧部材７の外周壁７ｄ内にクリック係合子１７が挿入されて透孔７ｅの中に係合突出部１７ａが挿入され、透孔７ｆ内の両縁に係止部１７ｂが係止される。
係合突出部１７ａは皿状のラチェットリング６の外周壁６ｂの内周に形成されたクリック凹凸歯６ｃに係合される。
クリック係合子ホルダ−を兼ねた押圧部材７はドラグ調節ツマミ５に取り付けられている。
ドラグ調節ツマミ５はドラグ調節ツマミ５の内側に回り止め嵌合されたナット体１８のネジ部１８ａがスプ−ル軸２の先端のネジ部２ｂに螺合されることでスプ−ル軸２に取り付けられている。
【００１５】
ドラグ調節ツマミ５は表面にツマミ操作部５ａが、裏面には筒部５ｂと数条の腕部５ｃが形成されて腕部５ｃの先端に鈎部５ｄが形成されている。
鈎部５ｄはクリック係合子ホルダ−を兼ねた押圧部材７の透孔７ｅ、７ｆに係止されてドラグ調節ツマミ５とクリック係合子ホルダ−を兼ねた押圧部材７が一体化されている。
筒部５ｂの内面には回り止め面５ｅが形成されてナット体１８に形成された回り止め面１８ｂが係合される。
ナット体１８と皿状のクリック係合子ホルダ−を兼ねた押圧部材７の底面７ａの間には発条１９が挿入されている。
【００１６】
スプ−ル３の筒状固定部３ｆの内側の開口凹部３ｅには、スプ−ルと別体に形成された糸絡み防止部８の径方向内側からスプ−ル軸の伸長する方向でかつ竿尻側後方へ向けて延出された環状部であるリング部８ａが嵌合されて接着剤で固定され、リング部後端面８ｆと、環状縦壁３ｋとの間に所定の間隔Ｓをもって形成される凹部αに略C字状のリングからなる抜け止め部材２１が嵌められる。
凹部αにリングからなる抜け止め部材２１が嵌められると、凹部からなるドラグ機構Ａの開口収容部３ｄに収容されたドラグ機構Ａの摩擦板１６と皿状のラチェットリング６が抜け止めされる。
糸絡み防止部８はリング部８ａの前側の円錐形の抜け止め部材誘導傾斜面８ｂと筒部８ｃと、筒部８ｃから外側に延びた笠状の糸絡み防止部８ｄとで形成されている。
糸絡み防止部８ｄの端面８ｅはスプ−ル３の前側の鍔部３ｈに固定されたカバ−２０に当接され、糸絡み防止部８ｄの端面８ｅの軸線方向の寸法を切削等で調整することでリング部８ａの後端面８ｆと環状縦壁３ｋの間隔Ｓを調整することができる。
スプ−ル３の筒状固定部３ｆの内側の開口凹部３ｅに糸絡み防止部８のリング部８ａが嵌合されて接着剤で固定されて出来る凹部αをこの凹部αに嵌めるリングからなる抜け止め部材２１の係止部とする。
リングからなる抜け止め部材２１は、スプ−ル３の筒状固定部３ｆに糸絡み防止部８のリング部８ａが固定された後、抜け止め部材誘導傾斜面８ｂを使って縮径して案内され、凹部αに嵌められる。
糸絡み防止部８ｄの筒部８ｃとリング部８ａの内側にはドラグ調節ツマミ５とクリック係合子ホルダ−を兼ねた押圧部材７からなるドラグ調節ツマミ用クリック機構Ｂが収容される。
【００１７】
前記のようにスプ−ル３の筒状固定部３ｆの内側の開口凹部３ｅに糸絡み防止部８のリング部８ａが嵌合されて接着剤で固定されることで出来る凹部αに、リングからなる抜け止め部材２１が嵌められると、凹部からなるドラグ機構Ａの開口収容部３ｄに収容されたドラグ機構Ａの摩擦板１６と皿状のラチェットリング６が抜け止めされる。
前記のようにスプ−ル３の筒状固定部３ｆの内側の開口凹部３ｅに糸絡み防止部８のリング部８ａが嵌合されて接着剤で固定されることで、リングからなる抜け止め部材２１が嵌められる凹部αが出来るので、中グリの溝加工で凹部を形成する必要がなくなり、加工代を設けるために肉厚にする必要もなくなる。
【００１８】
前記のように魚釣用スピニングリ−ルが構成されると、ドラグ機構Ａの摩擦板１６と皿状のラチェットリング６が抜け止めされる抜け止め部材２１が係合される凹部αが、開口凹部３ｅに糸絡み防止部８のリング部８ａが嵌合されて接着剤で固定されることで構成されるので、スプ−ル３や糸絡み防止部８に中グリの溝加工が不要となる上に、スプ−ル３の前側鍔部を外すことが不要となるので、加工コストの低減と、ドラグ機構Ａの摩擦板１６の交換の際の煩わしさや摩擦板１６の交換の際のコスト低減を同時に図れる事が可能となる。
また、糸絡み防止部８はスプ−ル３の筒状固定部３ｆの外側の肉抜き用凹部３ｇを設けた際に蓋部材を兼ねることになり、スプ−ル３における竿先側前方の軽量化を図ることが出来る。
更にスプ−ル３や糸絡み防止部８に中グリの溝加工が不要となるので、加工代を取るために肉厚にする必要がなくなるので軽量化が図れる。
【実施例２】
【００１９】
図４は第２実施例で、図４はスプ−ルの要部拡大断面側面図である。
【００２０】
第２実施例では、スプ−ル３の筒状固定部３ｆと糸絡み防止部８のリング部８ａが第１実施例より夫々肉厚に形成されると共に、筒状固定部３ｆの内側の開口凹部３ｅとの間に段部３ｍで筒状固定部３ｆの前側は肉薄く形成されている。
糸絡み防止部８のリング部８ａの後端は段部８ｇによって肉が薄く形成されている。
スプ−ル３の筒状固定部３ｆと糸絡み防止部８のリング部８ａが嵌合されると段部３ｍと段部８ｇが突き合わされて接着剤で固定されると、リング部８ａの後端面８ｆと環状縦壁３ｋの間には所定の間隔Ｓからなる凹部αが出来る。
凹部αにはリングからなる抜け止め部材２１が嵌められる。
段部３ｍと段部８ｇを設けると、筒状固定部３ｆとリング部８ａの嵌合部分に塗布した接着剤がはみ出しても凹部αに達することがない。
他の構成は前記第１実施例と略同一である。
【実施例３】
【００２１】
図５は第３実施例で、図５はスプ−ルの要部拡大断面側面図である。
【００２２】
第３実施例では、第１実施例のスプ−ル３の筒状固定部３ｆが省略されて開口収容部３ｄの外側に筒状固定部３ｎが形成されている。
糸絡み防止部８のリング部８ａには更に後方に向けて肉薄のリング部８ｈが形成され、リング部８ａとリング部８ｈの間に環状縦壁８ｉが形成されている。
筒状固定部３ｎの前端面３ｔと環状縦壁８ｉの間に所定の間隔Ｓからなる凹部βが出来る。
凹部βにはリングからなる抜け止め部材２１が嵌められる。
他の構成は前記第１実施例と略同一である。
【実施例４】
【００２３】
図６は第４実施例で、図６はスプ−ルの要部拡大断面側面図である。
【００２４】
第４実施例では、第１実施例のスプ−ル３の筒状固定部３ｆと糸絡み防止部８のリング部８ａの状態で両者の嵌合部位に夫々ネジ部３ｏ、８ｊが形成されて螺合されている。
他の構成は前記第１実施例と略同一である。
【実施例５】
【００２５】
図７は第５実施例で、図７はスプ−ルの要部拡大断面側面図である。
【００２６】
第５実施例では、第１実施例のスプ−ル３の筒状固定部３ｆの外側の凹部３ｇが省略されて釣糸が大量に巻回可能に釣糸巻回胴部３ｂが深く形成されている。
凹部３ｇのない変形の固定部３ｐにネジ部３ｏが形成されて糸絡み防止部８のリング部８ａに形成されたネジ部８ｊが螺合されている。
他の構成は前記第１実施例と略同一である。
【実施例６】
【００２７】
図８は第６実施例で、図８はスプ−ルの要部拡大断面側面図である。
【００２８】
第６実施例では、第１実施例にあるスプ−ル３の釣糸巻回胴部３ｂの内側凹部３ｃが省略され、ドラグ機構Ａの開口収容部３ｄより前側に短い開口凹部３ｑと段部３ｒでスプ−ル３の前側に達する開口凹部３ｓが形成されている。
開口凹部３ｓ内には糸絡み防止部に代えてリング部材９が挿入されて嵌合固定されている。
リング部材９の後端部９ａと環状縦壁３ｋとの間に形成される所定の間隔Ｓにて、凹部αが形成される。
他の構成は前記第１実施例と略同一である。
【００２９】
第６実施例のように魚釣用スピニングリ−ルが構成されると、開口端部近傍の内周面に別体のリング部材を開口凹部とスプ−ル軸方向に所定の間隔を持って嵌合固定することで凹部αが形成されるので、前側鍔部及び糸絡み防止部がスプ−ルと一体の為、構造が簡素化され、部品点数が少なくなり、部品コストと組立コストが低減でき、スプ−ルや別体のリング部材に中グリの溝加工が不要となる上に、スプ−ルの前側鍔部を外すことが不要となるので、加工コストの低減と、ドラグ機構の摩擦板の交換の際の煩わしさや摩擦板の交換の際のコスト低減を同時に図る事が可能となる。
更にスプ−ルや別体のリング部材に中グリの溝加工が不要となるので、加工代を取るために肉厚にする必要がなくなり、軽量化が図れる。
【図面の簡単な説明】
【００３０】
【図１】第１実施例で、魚釣用スピニングリ−ルの要部断面側面図である。
【図２】同スプ−ルの分解断面側面図である。
【図３】同スプ−ルの要部拡大断面側面図である。
【図４】第２実施例で、スプ−ルの要部拡大断面側面図である。
【図５】第３実施例で、スプ−ルの要部拡大断面側面図である。
【図６】第４実施例で、スプ−ルの要部拡大断面側面図である。
【図７】第５実施例で、スプ−ルの要部拡大断面側面図である。
【図８】第６実施例で、スプ−ルの要部拡大断面側面図である。
【符号の説明】
【００３１】
Ａ  ドラグ機構
α、β  凹部
１  リ−ル本体
２  スプ−ル軸
３  スプ−ル
３ｄ  開口収容部
３ｆ  筒状固定部
８  糸絡み防止部
１６  摩擦板
２１  リングからなる抜け止め部材
【図１】
2006025723.tif 000003
【図２】
2006025723.tif 000004
【図３】
2006025723.tif 000005
【図４】
2006025723.tif 000006
【図５】
2006025723.tif 000007
【図６】
2006025723.tif 000008
【図７】
2006025723.tif 000009
【図８】
2006025723.tif 000010